(57)【要約】【課題】      金型の構成要素を削減して、製造面で簡素で煩雑ではない、内側に開口部を有する合成樹脂製枠体の成形方法を提供する。【解決手段】  溶融する樹脂を中心部から周方向に流して縁周ゲートから周形状のキャビティに注入され、キャビティに連通するゲートを樹脂の溶融状態においてゲートカットされ、合成樹脂製枠体を取り出す合成樹脂製枠体の成形方法であって、  上記ゲートカットが、キャビティ内に充填された後に、上動してきた環状の凸部がキャビティの注入口を閉塞する。【選択図】    図３
2011020379.tif 000002
【特許請求の範囲】
【請求項１】
溶融する樹脂を中心部から周方向に流して周形状のゲートから周形状のキャビティに注入され、キャビティに連通するゲートを樹脂の溶融状態においてゲートカットされ、合成樹脂製枠体を取り出す合成樹脂製枠体の成形方法であって、
上記ゲートカットが、キャビティ内に充填された後に、上動してきた環状の凸部がキャビティの注入口を閉鎖する合成樹脂製枠体の成形方法。
【発明の詳細な説明】
【技術分野】
【０００１】
本発明は、内側に開口部を有する合成樹脂製枠体の成形方法に関する。
【背景技術】
【０００２】
従来、自動車などのスピードメーター等の枠体、額縁などの枠体、コンピューターのディスプレーの枠体や、液晶テレビ或いはプラズマテレビ等のディスプレー用の枠体など、内側に開口部を有する合成樹脂製枠体が提供されている。そして、その成形は、枠体成形用の金型の周部キャビティに溶融樹脂原料の注入ゲートを直接設け、周部キャビティをいわば溶融原料の湯の流路として当該周部キャビティに溶融原料を打ち込み、成形する方法であった。
しかしながら、かかる方法で成形すると、周部キャビティがいわば溶融原料の湯の流路として用いられるため、その流れに応じた成形品が成形され、また注入ゲート付近と、当該注入ゲートより最も遠い部分の溶融原料の性状は相違するため、性状的には一定品質の合成樹脂成形品を成形し難い問題があった。特に、周部キャビティの途中で一方側から流れてきた溶融原料と他方側から流れてきた溶融原料とがぶつかり合う部位ではその傾向が大きい。
かかる点で、特許文献１は、次の成形方法を採用している。すなわち、図９の９Ａ、９Ｂ、９Ｃに示す様に、内側に開口部を有する合成樹脂製枠体の成形方法であって、移動型と固定型とからなり、該移動型と固定型の空隙にてキャビティ２２を形成する金型であり、かつキャビティ２２に連通し、合成樹脂製枠体の開口部の周縁に対応する位置の全体に亘って溶融樹脂原料を注入できる注入ゲート２３と、これに連通する供給口２４１を有する溶融樹脂原料の貯留部２４と、供給口２４１、注入ゲート２３の連通を遮断する移動可能な閉鎖部２５とを有する、移動型と固定型からなる金型を用いて、溶融樹脂原料を貯留部に一旦貯留し、その後、前記貯留部２４に貯留された溶融樹脂原料の圧力により、閉鎖部２５がスライド移動し、該溶融樹脂原料がキャビティ２２内に注入され、その後、移動型が移動し、注入ゲート２３と供給口２４１との連通を封鎖するともに、キャビティの幅方向が狭くなり、溶融樹脂原料がキャビティ全体に充填されて成形がなされ、その後、金型を開いて成形された合成樹脂製枠体を取り出すことによって成形する成形方法である。
【先行技術文献】
【特許文献】
【０００３】
【特許文献１】特開２００７−２７６１７０号公報
【発明の概要】
【発明が解決しようとする課題】
【０００４】
しかし上記成形方法は、溶融樹脂原料を前記貯留部に一旦貯留する貯留工程を必要とする。また前記貯留工程後、前記貯留部に貯留された溶融樹脂原料の充填圧により、前記閉鎖部がスライド移動しなければならない。また前記樹脂注入工程後は、前記移動型が移動し、前記注入ゲートと前記供給口との連通を封鎖するともに、前記キャビティの少なくとも一部の幅方向が狭くなることにより、溶融樹脂原料が前記キャビティ全体に充填されて成形がなされるゲートカットを必要とする。従って、製造上、煩雑であり、一挙に手間がいらずに製造できる方法が求められている。
【０００５】
本発明の課題は、金型の構成要素を削減して、製造面で簡素で煩雑ではない、内側に開口部を有する合成樹脂製枠体の成形方法を提供するところにある。
【課題を解決するための手段】
【０００６】
本発明は、溶融する樹脂を中心部から周方向に流して縁周ゲートから周形状のキャビティに注入され、キャビティに連通するゲートを樹脂の溶融状態においてゲートカットされ、合成樹脂製枠体を取り出す合成樹脂製枠体の成形方法であって、
上記ゲートカットが、キャビティ内に充填された後に、上動してきた環状の凸部がキャビティの注入口を閉塞する、合成樹脂製枠体の成形方法である。
【発明の効果】
【０００７】
従って、本発明の成形方法によれば、単にゲートカットが、キャビティ内に充填された後に、上動してきた環状の凸部がキャビティの注入口を閉塞することで達成されるため、単なる移動型と固定型との組み合わせで行われるので、製造面で煩雑ではない。
また本発明の成形方法によれば、従来の如く、貯留部に一旦貯留する貯留工程を必要とせず、前記閉鎖部を必要とせず、また前記固定型と前記移動型によることがない。また本発明の成形方法によれば、前記ゲートカットは前記キャビティの少なくとも一部の幅方向が狭くなることなく製造される。
また本発明の成形方法によれば、溶融する樹脂を中心部から周方向に流して縁周ゲートから周形状のキャビティに注入され、キャビティに連通するゲートを樹脂の溶融状態においてゲートカットされ、合成樹脂製枠体を取り出す方法であるため、成形された枠体には不要な固化部分が付着することなく、不要部を切り離す工程を必要としない。また一連の工程は、連続して繰り返し行うことができるので、効率的な製造方法でもある。
【図面の簡単な説明】
【０００８】
【図１】本発明に係る成形方法の一実施形態によって得られた、内側に開口部を有する合成樹脂製枠体の一例を示す平面図である。
【図２】同背面図である。
【図３】本発明に係る成形方法の一実施形態を示す概略断面図であって、周形状のキャビティに注入され充填された状態を示している。
【図４】同概略断面図であって、充填完了時に独立移動コアが移動し、独立移動コアの環状の凸部がキャビティの注入口を閉塞して成型品とゲートを分断する状態を示している。
【図５】本発明に係る成形方法の他実施形態によって得られた、内側に開口部を有する合成樹脂製枠体の他例を示す背面図である。
【図６】本発明に係る成形方法の他実施形態によって得られた、内側に開口部を有する合成樹脂製枠体のさらに他例を示す平面図である。
【図７】同成型時点で分離端部を有する背面図である。
【図８】同さらに他例を示す背面図である。
【図９】従来の成形方法の一例を示す概略図である。９Ａは貯留工程における金型の概要を示した要部拡大図である。９Ｂは樹脂注入工程における金型の概要を示した要部拡大図である。９Ｃはゲートカット工程における金型の概要を示した要部拡大図である。
【発明を実施するための形態】
【０００９】
以下、図面を用いて本発明を詳述する。ただし、本発明は、図面に示された態様に限られるものではない。
【００１０】
本発明で成形されるのは、図１や図２のような内側に開口部１１を有する合成樹脂製枠体１０である。当該枠体１０は自動車のスピードメーターの枠体である。図１や図２では枠体１０形状及び開口部１１形状は一部が直線部をなしている円形のものを示したが、３連の自動車のスピードメーターの枠体や（図５〜図７）、その他５連の自動車のスピードメーターの枠体なども含まれる。また図８の様に長方形の合成樹脂製枠体１６でも差し支えない。本発明の成形方法では、枠体１０形状及び開口部１１形状を限定することなく使用できる。ただし本発明では、枠体１０形状及び開口部１１形状が円形状のような連続する形状の成形であっても、ウエルドラインが発生しないという有利な特徴がある。
【００１１】
また本発明の成形方法による効果を十分発揮させるためには、図１や図２のように、内側に開口部１１を有する合成樹脂製枠体１０の外側形状と開口部１１形状とが相似形状であるほうが好ましい。例えば枠体１０外側形状が長方形であり、開口部１１形状が円形状のような枠体においても、もちろん本発明の成形方法による成形も可能である。ただしウエルドラインの発生抑制効果は、相似形状の枠体の場合よりも若干劣る。前記例示形状において、もし完全にウエルドラインの発生を完全に抑えたいならば、本発明の成形方法で、一旦開口部形状を長方形で成形し、その後円形状など所望の開口部を切断する方法を採ることもできる。
【００１２】
本発明に用いられる原料は、熱可塑性樹脂原料であれば特に制限なく使用できる。また着色剤等通常の射出成形で用いられる添加剤を原料に添加することもできる。なかでもアルミニウム粉末などメタリック用着色剤を添加した樹脂原料を用いた場合、従来の射出成形による成形では、ウエルドラインが明確に現れるので添加を控えていたものであるが、本発明の成形法では、かかるメタリック用着色剤を添加して成形した場合でも外観上ウエルドラインが表れないという有利な特徴がある。また透明又は半透明の熱可塑性樹脂原料を用いて本発明の成形方法で成形すれば、上記同様外観上ウエルドラインが現れないという有利な特徴がある。
【００１３】
内側に開口部１１を有する合成樹脂製枠体１０を成型するために、本発明で用いる金型は、移動型２１１と固定型２１２とからなり、該移動型２１１と固定型２１２の空隙にてキャビティ２１３を形成する金型であり、かつ図３及び図４に示すように、以下の（１）〜（３）をすくなくとも備えたものである。
（１）溶融する樹脂１を中心部２から円周方向３に流して周形状のゲート４から周形状のキャビティ２１３に注入される充填工程、
（２）上動する独立移動コア２１４の環状の凸部２１５がキャビティ２１３の注入口２１６を閉鎖し、キャビティ２１３に連通するゲート４を樹脂の溶融状態においてカットするゲートカット工程、
（３）合成樹脂製枠体を取り出す型開き工程
【００１４】
本発明の成形方法に用いる金型２１は、通常の射出成形と同じく、移動型２１１と固定型２１２からなり、該移動型２１１と固定型２１２の空隙によってキャビティ２１３が形成される。続いて、溶融する樹脂１を中心部２から円周方向３に流して周形状のゲート４から周形状のキャビティ２１３に注入される。
本発明の成形方法に用いる金型２１の注入する前記ゲート４は、前記のキャビティ２１３に連通し、前記の合成樹脂製枠体１０の開口部の周縁５に対応する位置の全体に亘って溶融樹脂原料を注入できるものである。すなわち、通常の射出成形のゲートノズルのように特定の一点に存在するゲートではなく、成形される枠体１０の開口部の周縁５に相当する部分に線状に一周して存在するゲートである。注入ゲート４をこのようにすることにより、内側に開口部１１を有する合成樹脂製枠体１０の成形においては、原料樹脂注入後、樹脂流れの乱れを抑制することができる。
【００１５】
この状態では円筒体の独立移動コア２１４は図３に示す様な独立移動コア２１４先端部にある環状の凸部２１５がキャビティ２１３の注入口をオープンにしている。溶融する樹脂が周形状のキャビティに充填完了すると、図４に示す様に、独立移動コアが上に移動し、独立移動コアの環状の凸部がキャビティの注入口２１６を閉鎖して溶融する樹脂の成型品とゲートを分断するものである。なお、独立移動コア２１４は固定型２１２の内周壁２１２ａと内型２１７の外周壁２１７ａの間隙２１８を上下摺動するようになっている。
続いて冷却されて成型され、成型後移動型２１１が固定型２１２から離れることにより型開きが行われ、成形品を取り出す。
【００１６】
ところで本発明の方法は、例えば前記のスピードメーターの如く、内側に開口部１１を有する１つの合成樹脂製枠体１０を成型することができるが、これに限らず、図５に示す次の３連の合成樹脂製枠体１２も成型することができる。
すなわち、それは、溶融する樹脂を中心部から周方向に流して周形状のゲートから周形状のキャビティに注入され、さらにキャビティから再び第２のゲートを通過するように周方向に流して第２のキャビティに注入し、キャビティ及び第２のキャビティに連通するゲート及び第２ゲートを樹脂の溶融状態においてゲートカットされ、合成樹脂製枠体を取り出す合成樹脂製枠体の成形方法であって、
上記ゲートカットが、キャビティ内に充填された後に、上動してきた各環状の凸部がキャビティの注入口を閉塞する合成樹脂製枠体の成形方法である。
すなわち、ゲートカット工程を、３つのそれぞれ独立した円筒体の独立移動コアを用い、溶融する樹脂の中心部から最も遠い位置の円筒体の独立移動コアから最も近い位置の円筒体の独立移動コアにまで順次上動して閉鎖すれば、一度に、内側に開口部１１を有する３連の合成樹脂製枠体１０を成型することができる。
【００１７】
なお、前記の内側に１つの円形状の開口部１１を有する方法でも３連の合成樹脂製枠体１３を成型することができる。すなわち、図６及び図７に示す様に、キャビティを円形状に加えて両側にＣ字状とし、キャビティ内の成型品のＣ字状の先端部１４を自由端部にし、この自由端部と連結し得る１５穴を設けて、両者を物理的に連結するものである。この方法であれば、４連でも５連でも枠体を成型することができる。なお、この場合、ウェルドラインがＣ字状の先端部にできるが、連結する自由端部にしていることから、問題はない。
【産業上の利用可能性】
【００１８】
本発明は、自動車などのスピードメーター等の枠体、額縁などの枠体、コンピューターのディスプレーの枠体や、液晶テレビ或いはプラズマテレビ等のディスプレー用の合成樹脂製枠体の成形方法として好適に利用することができる。
【符号の説明】
【００１９】
１        溶融する樹脂
２        中心部
３        円周方向
４        周形状のゲート
１０        枠体
１１        開口部
２１３      キャビティ
２１５      環状の凸部
【図１】
2011020379.tif 000003
【図２】
2011020379.tif 000004
【図３】
2011020379.tif 000005
【図４】
2011020379.tif 000006
【図５】
2011020379.tif 000007
【図６】
2011020379.tif 000008
【図７】
2011020379.tif 000009
【図８】
2011020379.tif 000010
【図９】
2011020379.tif 000011